【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
Ｄｉａｍｅｔｅｒバインディングリポジトリを供給する方法であって、
Ｄｉａｍｅｔｅｒ信号ルータ（ＤＳＲ）において、モバイル加入者に関連しており、モバイル加入者関連情報を含んだＤｉａｍｅｔｅｒ信号メッセージを受信する工程と、
前記Ｄｉａｍｅｔｅｒ信号メッセージを処理するように構成されている複数のネットワークサービスノードから一つのネットワークサービスノードを選択する工程と、
前記Ｄｉａｍｅｔｅｒ信号ルータ（ＤＳＲ）が、前記モバイル加入者に関連する追加情報を入手するために、前記モバイル加入者関連情報を使用して、加入者データ管理（ＳＤＭ）ノードにクエリーする工程とを含み、前記ＳＤＭノードにクエリーすることは、国際モバイル加入者識別子（ＩＭＳＩ）を用いて前記ＳＤＭノードにクエリーすることを含み、
前記Ｄｉａｍｅｔｅｒ信号ルータ（ＤＳＲ）において、少なくともＤｉａｍｅｔｅｒセッション識別子を含む前記追加情報を前記加入者データ管理（ＳＤＭ）ノードから受信する工程と、
前記モバイル加入者関連情報、前記追加情報、および前記選択されたネットワークサービスノードに対応する識別子を使用してＤｉａｍｅｔｅｒバインディングレコード情報を発生させる工程とを含み、前記Ｄｉａｍｅｔｅｒバインディングレコード情報は、前記選択されたネットワークサービスノードを、前記国際モバイル加入者識別子（ＩＭＳＩ）および前記Ｄｉａｍｅｔｅｒセッション識別子に関連付け、
前記Ｄｉａｍｅｔｅｒ信号ルータ（ＤＳＲ）が、Ｄｉａｍｅｔｅｒバインディングリポジトリ（ＤＢＲ）における既存のＤｉａｍｅｔｅｒバインディングレコードへの保存のために、前記Ｄｉａｍｅｔｅｒバインディングリポジトリ（ＤＢＲ）に、前記Ｄｉａｍｅｔｅｒバインディングレコード情報を含む供給メッセージを送信する工程とを備え、
前記Ｄｉａｍｅｔｅｒバインディングリポジトリ（ＤＢＲ）は、前記Ｄｉａｍｅｔｅｒ信号ルータ（ＤＳＲ）から離れた１つ以上のネットワーク要素によって供給されるように構成されており、
前記既存のＤｉａｍｅｔｅｒバインディングレコードに含まれるモバイル加入者関連識別子が、前記国際モバイル加入者識別子（ＩＭＳＩ）と、少なくとも前記Ｄｉａｍｅｔｅｒセッション識別子を含む前記追加情報との両方に関連付けられる態様で、前記既存のＤｉａｍｅｔｅｒバインディングレコードを更新するように、前記Ｄｉａｍｅｔｅｒバインディングレコード情報は使用される、方法。
【請求項２】
前記Ｄｉａｍｅｔｅｒ信号ルータ（ＤＳＲ）は、前記モバイル加入者関連情報および前記選択されたサービスノードの識別特性を前記Ｄｉａｍｅｔｅｒバインディングリポジトリに提供し、前記Ｄｉａｍｅｔｅｒバインディングリポジトリは、前記加入者データ管理ノードにクエリーし、前記モバイル加入者に関連する前記追加情報を入手し、前記Ｄｉａｍｅｔｅｒバインディングレコードを発生することを特徴とする請求項１記載の方法。
【請求項３】
前記Ｄｉａｍｅｔｅｒバインディングレコード情報を提供することは、前記ＤＢＲに保存されている既存のＤｉａｍｅｔｅｒバインディングレコードを更新することを含んでいることを特徴とする請求項１または２に記載の方法。
【請求項４】
前記Ｄｉａｍｅｔｅｒバインディングレコード情報を提供することは、前記ＤＢＲに保存される新しいＤｉａｍｅｔｅｒバインディングレコードを発生させることを含んでいることを特徴とする請求項１から３のいずれかに記載の方法。
【請求項５】
前記Ｄｉａｍｅｔｅｒバインディングレコード（ＤＢＲ）は前記Ｄｉａｍｅｔｅｒ信号ルータ（ＤＳＲ）内に配置されていることを特徴とする、請求項１から４のいずれかに記載の方法。
【請求項６】
前記モバイル加入者に関連する前記追加情報は、Ｄｉａｍｅｔｅｒセッション識別子情報、ユーザ名情報、ユーザインターネットプロトコル（ＩＰ）情報、ＩＰマルチメディアサブシステム（ＩＭＳ）個人識別特性（ＩＭＰＩ）情報、ＩＭＳ公衆識別特性（ＩＭＰＵ）情報、セッション初期化プロトコル（ＳＩＰ）ユーアールアイ識別子（ＵＲＩ）情報、ＩＭＳ課金識別子情報、移動局国際加入者電話帳掲載番号（ＭＳＩＳＤＮ）情報、モバイル／ダイヤル可能番号情報、セッション識別子、国際モバイル加入者識別特性（ＩＭＳＩ）、モバイル加入者電話帳掲載番号（ＤＮ）、グローバル一意一時識別子（ＧＵＴＩ）、サービス用ＭＳＣアドレス情報、訪問者位置レジスタ（ＶＬＲ）番号情報、サービス用汎用パケット電波サービス（ＧＰＲＳ）サポートノード（ＳＧＳＮ）アドレス情報、ＳＧＳＮ番号情報、訪問されたモバイルカントリーコード（ＭＣＣ）情報、モバイルネットワークコード（ＭＮＣ）情報、ユーザ名属性値ペア（ＡＶＰ）、ネットワークアクセス識別子（ＮＡＩ）、サービス用位置エリアコード情報、サービス用電池識別情報、モバイル加入者ジオロケーション位置座標情報、および追跡エリア情報の中の少なくとも一つの情報を含んでいることを特徴とする請求項１から５のいずれかに記載の方法。
【請求項７】
前記加入者データ管理（ＳＤＭ）ノードは、加入者プロファイルリポジトリ（ＳＰＲ）ノード、ネットワーク請求ノード、自宅加入者サーバ（ＨＳＳ）ノード、自宅位置レジスタノード（ＨＬＲ）、ポリシーおよび課金規則機能（ＰＣＲＦ）ノード、またはコールセッション制御機能（ＣＳＣＦ）ノードを含んでいることを特徴とする請求項１から６のいずれかに記載の方法。
【請求項８】
前記複数のネットワークサービスノードのそれぞれは、ネットワーク課金ノード、オンライン課金システム（ＯＣＳ）ノード、オフライン課金システム（ＯＦＣＳ）ノード、課金トリガー機能（ＣＴＦ）ノード、課金ゲートウェイ機能（ＣＧＦ）ノード、課金データ機能（ＣＤＦ）ノード、ポリシーおよび課金規則機能（ＰＣＲＦ）ノード、自宅加入者サーバ（ＨＳＳ）ノード、および自宅位置レジスタ（ＨＬＲ）ノードの中の少なくとも一つを含んでいることを特徴とする請求項１から７のいずれかに記載の方法。
【請求項９】
前記Ｄｉａｍｅｔｅｒバインディングレコードは、Ｄｉａｍｅｔｅｒセッションバインディング、Ｄｉａｍｅｔｅｒセッション識別子−ネットワークサービスノード関連要素、Ｄｉａｍｅｔｅｒ端末相互間接触識別子−ネットワークサービスノード関連要素、加入者識別子−ネットワークサービスノード関連要素、および課金識別子−ネットワークサービスノード関連要素の中の少なくとも一つを含んでいることを特徴とする請求項１から８のいずれかに記載の方法。
【請求項１０】
前記Ｄｉａｍｅｔｅｒ信号メッセージを受信する工程は、信用統制要求（ＣＣＲ）メッセージ、課金要求（ＡＣＲ）メッセージ、更新位置要求（ＵＬＲ）メッセージ、Ｄｉａｍｅｔｅｒ移動性管理メッセージ、又はＤｉａｍｅｔｅｒ課金メッセージの受信を含んでいることを特徴とする請求項１から９のいずれかに記載の方法。
【請求項１１】
前記追加情報の少なくとも一部を含むように前記Ｄｉａｍｅｔｅｒ信号メッセージを修正する工程をさらに含んでいることを特徴とする請求項１から１０のいずれかに記載の方法。
【請求項１２】
前記Ｄｉａｍｅｔｅｒ信号メッセージを、前記選択されたネットワークサービスノードに送達する工程をさらに含んでいることを特徴とする請求項１から１１のいずれかに記載の方法。
【請求項１３】
Ｄｉａｍｅｔｅｒバインディングリポジトリを供給するシステムであって、
Ｄｉａｍｅｔｅｒ信号メッセージ情報をＤｉａｍｅｔｅｒ処理活動にバインディングするためのＤｉａｍｅｔｅｒバインディングレコードを保存するように構成されたＤｉａｍｅｔｅｒバインディングリポジトリ（ＤＢＲ）と、
Ｄｉａｍｅｔｅｒ信号ルータ（ＤＳＲ）とを備え、
前記Ｄｉａｍｅｔｅｒ信号ルータ（ＤＳＲ）は、
モバイル加入者に関連付けられモバイル加入者関連情報を含むＤｉａｍｅｔｅｒ信号メッセージを受信し、
前記Ｄｉａｍｅｔｅｒ信号メッセージを処理するように構成されている複数のネットワークサービスノードから一つのネットワークサービスノードを選択し、
前記モバイル加入者に関する追加情報を入手するために、国際モバイル加入者識別子（ＩＭＳＩ）を含む前記モバイル加入者関連情報を使用して、加入者データ管理（ＳＤＭ）ノードにクエリーし、
少なくともＤｉａｍｅｔｅｒセッション識別子を含む前記追加情報を前記加入者データ管理（ＳＤＭ）ノードから受信し、
前記モバイル加入者関連情報、前記追加情報、および前記選択されたネットワークサービスノードに対応する識別子を使用して、Ｄｉａｍｅｔｅｒバインディングレコード情報を発生させるように構成されており、前記Ｄｉａｍｅｔｅｒバインディングレコード情報は、前記選択されたネットワークサービスノードを、前記国際モバイル加入者識別子（ＩＭＳＩ）および前記Ｄｉａｍｅｔｅｒセッション識別子に関連付け、
前記Ｄｉａｍｅｔｅｒ信号ルータ（ＤＳＲ）は、
前記Ｄｉａｍｅｔｅｒバインディングリポジトリ（ＤＢＲ）に保存されるべき前記Ｄｉａｍｅｔｅｒバインディングレコード情報を含む供給メッセージを、前記Ｄｉａｍｅｔｅｒバインディングリポジトリ（ＤＢＲ）に送るように構成されており、前記Ｄｉａｍｅｔｅｒバインディングリポジトリ（ＤＢＲ）は、前記Ｄｉａｍｅｔｅｒバインディングリポジトリ情報をＤｉａｍｅｔｅｒバインディングレコードに保存するように構成されており、かつ、前記Ｄｉａｍｅｔｅｒ信号ルータ（ＤＳＲ）から離れた１つ以上のネットワーク要素によって供給されるように構成されており、
前記既存のＤｉａｍｅｔｅｒバインディングレコードに含まれるモバイル加入者関連識別子が、前記国際モバイル加入者識別子（ＩＭＳＩ）と、少なくとも前記Ｄｉａｍｅｔｅｒセッション識別子を含む前記追加情報との両方に関連付けられる態様で、前記既存のＤｉａｍｅｔｅｒバインディングレコードを更新するように、前記Ｄｉａｍｅｔｅｒバインディングレコード情報は使用される、システム。
【請求項１４】
前記Ｄｉａｍｅｔｅｒバインディングリポジトリは、前記モバイル加入者に関する前記追加情報を入手するように前記加入者データ管理ノードにクエリーし、前記Ｄｉａｍｅｔｅｒバインディングレコードを発生させるように構成されていることを特徴とする請求項１３記載のシステム。
【請求項１５】
前記Ｄｉａｍｅｔｅｒバインディングリポジトリ（ＤＢＲ）は、前記Ｄｉａｍｅｔｅｒバインディングリポジトリ（ＢＤＲ）に保存されている既存Ｄｉａｍｅｔｅｒバインディングレコードを更新するように構成されていることを特徴とする請求項１３または１４に記載のシステム。
【請求項１６】
前記Ｄｉａｍｅｔｅｒバインディングリポジトリ（ＤＢＲ）は、新しいＤｉａｍｅｔｅｒバインディングレコードを発生させて、保存するように構成されていることを特徴とする請求項１３から１５のいずれかに記載のシステム。
【請求項１７】
前記Ｄｉａｍｅｔｅｒバインディングリポジトリ（ＤＢＲ）は前記Ｄｉａｍｅｔｅｒ信号ルータ（ＤＳＲ）内に位置していることを特徴とする請求項１３から１６のいずれかに記載のシステム。
【請求項１８】
前記モバイル加入者に関連する前記追加情報は、Ｄｉａｍｅｔｅｒセッション識別子情報、ユーザ名情報、ユーザインターネットプロトコル（ＩＰ）情報、ＩＰマルチメディアサブシステム（ＩＭＳ）個人識別特性（ＩＭＰＩ）情報、ＩＭＳ公衆識別特性（ＩＭＰＵ）情報、セッション初期化プロトコル（ＳＩＰ）ユーアールアイ識別子（ＵＲＩ）情報、ＩＭＳ課金識別子情報、移動局国際加入者電話帳掲載番号（ＭＳＩＳＤＮ）情報、モバイル／ダイヤル可能番号情報、セッション識別子、国際モバイル加入者識別特性（ＩＭＳＩ）、モバイル加入者電話帳掲載番号（ＤＮ）、グローバル一意一時識別子（ＧＵＴＩ）、サービス用ＭＳＣアドレス情報、訪問者位置レジスタ（ＶＬＲ）番号情報、サービス用汎用パケット無線サービス（ＧＰＲＳ）サポートノード（ＳＧＳＮ）アドレス情報、ＳＧＳＮ番号情報、訪問されたモバイルカントリーコード（ＭＣＣ）情報、モバイルネットワークコード（ＭＮＣ）情報、ユーザ名属性値ペア（ＡＶＰ）、ネットワークアクセス識別子（ＮＡＩ）、サービス用エリアコード情報、サービス用電池識別情報、モバイル加入者ジオロケーション位置座標情報、および追跡エリア情報の中の少なくとも一つの情報を含んでいることを特徴とする請求項１３から１７のいずれかに記載のシステム。
【請求項１９】
前記加入者データ管理ノードは、加入者プロファイルリポジトリノード、ネットワーク課金機能ノード、請求ノード、オンライン課金システム（ＯＣＳ）ノード、オフライン課金システム（ＯＦＣＳ）ノード、自宅加入者サーバ（ＨＳＳ）ノード、自宅位置レジスタ（ＨＬＲ）ノード、ポリシーおよび課金規則機能（ＰＣＲＦ）ノード、またはコールセッション制御機能（ＣＳＣＦ）ノードの少なくとも一つを含んでいることを特徴とする請求項１３から１８のいずれかに記載のシステム。
【請求項２０】
前記複数のネットワークサービスノードのそれぞれは、課金データ機能（ＣＤＦ）ノード、ポリシーおよび課金規則機能（ＰＣＲＦ）ノード、自宅加入者サーバ（ＨＳＳ）ノード、または自宅位置レジスタ（ＨＬＲ）ノードの少なくとも一つを含んでいることを特徴とする請求項１３から１９のいずれかに記載のシステム。
【請求項２１】
前記Ｄｉａｍｅｔｅｒバインディングレコードは、Ｄｉａｍｅｔｅｒセッションバインディング、Ｄｉａｍｅｔｅｒセッション識別子−ネットワークサービスノード関連要素、Ｄｉａｍｅｔｅｒ端末相互間接触識別子−ネットワークサービスノード関連要素、加入者識別子−ネットワークサービスノード関連要素、および課金識別子−ネットワークサービスノード関連要素の中の少なくとも一つを含んでいることを特徴とする請求項１３から２０のいずれかに記載のシステム。
【請求項２２】
前記Ｄｉａｍｅｔｅｒ信号メッセージは、信用統制要求（ＣＣＲ）メッセージ、課金要求（ＡＣＲ）メッセージ、更新位置要求（ＵＬＲ）メッセージ、Ｄｉａｍｅｔｅｒ移動性管理メッセージ、又はＤｉａｍｅｔｅｒ課金メッセージの中の少なくとも一つを含んでいることを特徴とする請求項１３から２１のいずれかに記載のシステム。
【請求項２３】
前記Ｄｉａｍｅｔｅｒ信号ルータ（ＤＳＲ）は、前記追加情報の少なくとも一部を含むように前記Ｄｉａｍｅｔｅｒ信号メッセージを修正するように構成されている、請求項１３から２２のいずれかに記載のシステム。
【請求項２４】
前記Ｄｉａｍｅｔｅｒ信号ルータ（ＤＳＲ）は、前記Ｄｉａｍｅｔｅｒ信号メッセージを、前記選択されたネットワークサービスノードに送達するように構成されていることを特徴とする請求項１３から２３のいずれかに記載のシステム。
【請求項２５】
請求項１〜１２のいずれかに記載の方法をコンピュータに実行させるためのプログラム。